(57)【要約】【課題】従来の林業用安全帯とガニとの併用では、以下のような２つの問題点があった。（１）樹木の昇降時や停止時の作業中において、予期しない時にガニの爪が樹木から外れると、樹木の周りに配したロープが緩んだままになって墜落することがあった。（２）上記と同様、予期しない時にガニの爪が外れた際、運良くロープが樹木の外周に引っかかり墜落を免れたとしても、体重でロープが斜めになり、身体が樹木に引き寄せられた状態になるので、一人では復帰できない場合が多い。このことは山中で一人で作業している際には生死に関わる重大な問題であった。  本発明は、以上のような問題点を解決するために行われたものである。【解決手段】樹木用安全帯に、樹木と人体の間に張られるロープの樹木側寄りの左右を繋ぐように墜落防止用補助具を掛ける事により上記課題を解決した。【選択図】図１
2010075597.tif 000002
【特許請求の範囲】
【請求項１】
樹木を昇降する際に使用する腰に装着するベルトと、樹木の外周に配し、かつ前記ベルトに２点支持されるロープとからなる安全帯と併用するための補助具であり、樹木と人体の間に張られる前記ロープの左右を繋いで束ねるための少なくとも一つのフック状金具を装着した輪状の紐からなる樹木昇降用補助具。
【請求項２】
樹木を昇降する際に使用する安全帯セットであり、
腰に装着するベルトと、樹木の外周に配し、かつ前記ベルトに２点支持されるロープと、樹木と人体の間に張られる前記ロープの左右を繋いで束ねるための少なくとも一つのフック状金具を装着した輪状の紐からなることを特徴とする樹木昇降用安全帯セット。
【発明の詳細な説明】
【技術分野】
【０００１】
本発明は樹木の昇降時や樹木上での作業中に林業用安全帯との連携による墜落防止を有する墜落防止補助具に関するものである。
【背景技術】
【０００２】
木登り用具として、特許文献１にあるように足に装着する爪付き金具（以後ガニと称する）と林業用安全帯を併用する方法が一般的であるが、樹木の昇降時や停止時に足に履いているガニの鉄製の爪が樹木から外れたり樹木に掛けているロープを両手で上下する時にロープの緩む時間が長くかかりすぎロープの張力がなくなり墜落の要因になる。
墜落を防止する方法として、特許文献２にあるように一定高さ毎に締め付けベルトで樹木に足場部材と落下防止ベルトを保持させていく方法があるが、構成部品が多く作業量も増えるので広く使用されるには至っていない。
【特許文献１】特開２００４−２２９６２９号公報
【特許文献２】特開２００６−２３９１８３号公報
【発明の開示】
【発明が解決しようとする課題】
【０００３】
一般的な木登り用具としての林業用安全帯とガニとの併用では、以下のような２つの問題点があった。
（１）樹木の昇降時や停止時の作業中において、予期しない時にガニの爪が樹木から外れると、樹木の周りに配したロープが緩んだままになって墜落することがあった。
（２）上記と同様、予期しない時にガニの爪が外れた際、運良くロープが樹木の外周に引っかかり墜落を免れたとしても、体重でロープが斜めになり、身体が樹木に引き寄せられた状態になるので、一人では復帰できない場合が多い。このことは山中で一人で作業している際には生死に関わる重大な問題であった。
本発明は、以上のような問題点を解決するために行われたものである。
【課題を解決するための手段】
【０００４】
本発明は従来の樹木用安全帯に、樹木と人体の間に張られるロープの樹木側寄りの左右を繋ぐように墜落防止用補助具を掛ける事により上記課題を解決したものである。
【発明の効果】
【０００５】
軽量でシンプルな構造の補助具を、樹木に掛けたロープの左右を軽く束ねるように巻いて、紐に装着したフックをロープに掛けておくだけで、林業用安全帯を使った木登りにおいて絶大な墜落防止効果を発揮する。
軽量なので携帯も楽であり、補助具の脱着及び樹上での操作は非常にシンプルで簡単である。
【０００６】
木登り作業者が樹木の昇降時や停止中に墜落しそうになった時、本発明品の補助具により作業者は樹上で宙吊り状態になるわけだが、その状態から自力で元の体勢に戻ることが出来る。
【０００７】
従来は、樹上で作業をするには相当の熟練が必要であったが、本発明による補助具と安全帯を使用することにより、経験が浅くても樹上での作業を安全に且つ安心して行うことができる。
【発明を実施するための最良の形態】
【０００８】
図１〜図４を用いて本発明を実施する為の最良の形態の構成に基づく安全帯と墜落防止補助具の使用方法について以下説明する。
通常の林業用安全帯である作業者自身の腰に巻く胴ベルト３の左右５ａ、５ｂ部に樹木の外周に配したロープ４を連結し、図２のようにまず作業者から見て右側のロープ４ａの樹木寄りの位置１１に輪状の紐７を巻いてからフック部８を通して保持させた後、紐７を左側のロープ４ｂの樹木寄りの位置１２の周りに少なくとも２回転させてからフック８を右側のロープ４ａの１１よりも更に樹木寄りの位置１３に引っ掛ける。
樹木の太さに応じて紐７の長さを選定することが望ましく、この一連の作業は樹木に登る前の樹木の下で完了させるのが望ましい。
尚、当然の事ながら作業者の好みや利き腕に応じて左右は逆でも差し支えない。
【０００９】
樹木の昇降時には補助具（７、８）を作業者自身の手前に引いておく。樹上で停止し作業したり、その場で樹木の周りを回る時には、補助具（７、８）を樹木側に寄せておく。
そうすることにより、作業者はスムーズに昇降したり、樹上で安全に作業したり樹木の周りを回ることができる。
又、樹木は高くなるに従い細くなるので、樹上で安全を確保した状態で、右側のロープ４ａに掛けてあったフック８を外して、ロープ４ａの外側に通してから左側のロープ４ｂにフック８を掛け直すことにより、補助具のたるみ量を調節することができる。
【００１０】
図２において、ロープ４ａ上の位置１１にて紐７をロープに保持させる方法と、ロープ４ｂ上の位置１２にて紐７をロープに絡める方法はどちらも紐とロープが直接触れるようになっているが、こうすることにより紐７に張力が加わらない時は、紐７がロープ４上を滑ることができ、補助具（７、８）を樹木側に寄せたり作業者側に寄せたりすることが容易にできるが、ガニが外れて紐７に張力が加わると自動的にロープ４を締め付けて滑らなくなるという重要な機能を持たせることができる。
【００１１】
図３に示すように、紐７は輪になっており、連結部１４で金属製のフック８の穴に通されて一体となっている。この構造にすることにより、紐７とフック８の位置関係を変えられるので一点だけ摩耗する事を防ぐことができ、紐の交換も容易にできる。
紐７の直径は５ｍｍ程度であり、ポリエステル等の合成樹脂を主成分とし綾目打ちで組まれたものが、適度な滑りと締まり具合と耐摩耗性に優れているので好ましい。
補助具の長さＬは１ｍ程度が一般的であり、太い樹木用には１．５ｍ程度の長さが必要である。
フック８は外れ止め付（いわゆるナスカン類）でも良いが、樹上で脱着を頻繁に行うので外れ止めの無い方が扱いやすい。
【００１２】
図１でも分かるように、この木登りの動作というものは足に履くガニと呼ばれる鉄製の爪６を樹木１に刺し込み胴ベルト３の５ａと５ｂを支点とし樹木に掛けるロープ４の張力を利用し木登りをしていくものであるが、木登り時、又は樹上で停止時にガニ６の爪が樹木から外れてしまったり木登り時にロープ４を両手を使って樹木の上へ上げる時、一瞬ロープ４の張力が緩むが、その緩む時間が長かったりすると墜落の危険が大きくなる。
【００１３】
このような状況下で作業者が墜落しそうになった時、図１のようにロープ４に墜落防止補助具（７、８）をロープ４に掛けておくことにより樹木に掛かっているロープ４と補助具が一つの小さな輪になって樹木に掛かっている為、墜落を防止出来る。
【００１４】
その結果図４のように作業者は樹上で宙吊り状態になるわけだが、ロープ４と補助具（７、８）で樹木に引っ掛かるので、ロープ４はＡ点で折れ曲がり、ロープ４の腰に装着したベルト３に繋がる部分はほぼ垂直状態になる。この結果、自身の体重の負荷もほぼ垂直方向だけに作用するので、体を樹木から離すことが容易にでき、自力でガニ６を樹木に掛けて図１の体勢に戻ることができる。また、折れ点Ａとロープと安全帯の接点５ａ、５ｂ間のロープ４の長さに余裕があることも容易に復帰できる理由である。
【００１５】
従来の安全帯のみ、すなわち補助具が無い状態でガニが外れると、図５のようにロープ４がＢ点で引っ掛かったとしても、ロープ４は斜めになって作業者は樹木に完全に押さえつけられるので自力での復帰は出来にくくなる。
また、図５の状態になるまでにある程度の距離を落下するので、衝撃力で負傷することもあり、又はほとんどの場合そのまま墜落してしまう。
【図面の簡単な説明】
【００１６】
【図１】本発明による補助具を装着して木登りをしている際の外観図である。
【図２】補助具の装着方法を示す説明図である。
【図３】本発明による補助具の外観図である。
【図４】本発明の安全帯セットを使用中にガニが外れた際の説明図である。
【図５】従来の安全帯を使用中にガニが外れた際の説明図である。
【符号の説明】
【００１７】
１    樹木
２    作業者
３    腰に装着するベルト（安全帯）
４    ロープ
４ａ  作業者から見て右側のロープ
４ｂ  作業者から見て左側のロープ
５ａ  安全帯とロープの接続部（右側）
５ｂ  安全帯とロープの接続部（左側）
６    木登り用ガニ（足に装着する爪付き金具）
７    紐
８    紐に装着したフック
１１  ロープに補助具を装着した部分
１２  補助具をロープに巻き付けた部分
１３  補助具のフックをロープに引っ掛けた部分
１４  紐をフックに通した部分
Ａ    ロープの折れ点
Ｂ    従来の安全帯使用時に墜落を免れた際のロープの引っかかり部
Ｌ    補助具の長さ
【図１】
2010075597.tif 000003
【図２】
2010075597.tif 000004
【図３】
2010075597.tif 000005
【図４】
2010075597.tif 000006
【図５】
2010075597.tif 000007
【手続補正書】
【提出日】平成21年2月4日(2009.2.4)
【手続補正１】
【補正対象書類名】特許請求の範囲
【補正対象項目名】全文
【補正方法】変更
【補正の内容】
【特許請求の範囲】
【請求項１】
樹木を昇降する際に、腰にベルト３を装着し、該ベルト３の左（右）部分５ｂに連結したロープ４を樹木１の外周に配して前記ベルトの右（左）部分５ａに連結し、フック状部品８を装着した輪状の紐７を、樹木１と人体２の間に張られた右（左）側のロープ４ａに巻き付けてから紐７の輪内にフック状部品８と紐７を通すことにより前記紐をロープ４ａに連結し、その後紐７を左（右）側のロープ４ｂに巻き付けてから前記フック状部品８を右（左）側ロープ４ａに係止するか、又はさらに紐７をロープ４ａの外側を通してからフック状部品８を左（右）側ロープ４ｂに係止させることにより人体の落下を防止する方法。
【請求項２】
請求項１に記載した落下防止方法を実現するための、腰に装着するベルト３と、ベルト３に二点支持されるロープ４と、フック状部品８を装着した輪状の紐７からなる、樹木昇降用安全帯セット。
【手続補正書】
【提出日】平成21年4月13日(2009.4.13)
【手続補正１】
【補正対象書類名】特許請求の範囲
【補正対象項目名】請求項１
【補正方法】変更
【補正の内容】
【請求項１】
樹木を昇降する際に、腰にベルト３を装着し、該ベルト３の右左の一方の部分５ａ、５ｂに連結したロープ４を樹木１の外周に配して前記ベルトの右左の他方の部分５ａ、５ｂに連結し、フック状部品８を装着した輪状の紐７を、樹木１と人体２の間に張られた右左の一方の側のロープ４ａ、４ｂに巻き付けてから紐７の輪内にフック状部品８と紐７を通すことにより前記紐を右左の一方の側のロープ４ａ、４ｂに連結し、その後紐７を右左の他方の側のロープ４ａ、４ｂに巻き付けてから、前記フック状部品８を右左の一方の側のロープ４ａ、４ｂに係止させる、又は、さらに紐７を右左の一方の側のロープ４ａ、４ｂの外側を通してからフック状部品８を右左の他方の側のロープ４ａ、４ｂに係止させることにより人体の落下を防止する方法。